(57)【要約】【課題】立体表示装置及び立体表示方法並びにプログラムにおいて、複数の画像の一覧表示を見易くする。【解決手段】立体表示装置が、複数の画像を平面画像又は立体視画像として一覧表示し、表示された画像の一覧から任意の画像を選択し、選択された画像のみの立体感を変換して表示する【選択図】図３Ａ
2009246625.tif 000002
【特許請求の範囲】
【請求項１】
一対の平面画像から立体視画像を生成して表示する立体表示装置において、
複数の画像を平面画像又は立体視画像として一覧表示する表示手段と、
該表示手段に表示された画像の一覧から任意の画像を選択する画像選択手段と、
該画像選択手段により選択された画像のみの立体感を変換して表示する表示変換手段とを備えてなることを特徴とする立体表示装置。
【請求項２】
前記表示変換手段が、前記選択された画像に含まれる被写体の視差を変更することにより前記立体感を変換することを特徴とする請求項１に記載の立体表示装置。
【請求項３】
前記表示変換手段が、前記複数の画像が平面画像として前記一覧表示されているときに、前記被写体の視差を付与することを特徴とする請求項２に記載の立体表示装置。
【請求項４】
前記表示変換手段が、前記複数の画像が立体視画像として前記一覧表示されているときに、前記被写体の視差をなくすことを特徴とする請求項２に記載の立体表示装置。
【請求項５】
前記表示変換手段が、前記選択された画像を他の画像に対して相対的に移動させることを特徴とする請求項１に記載の立体表示装置。
【請求項６】
前記表示変換手段が、前記選択された画像を拡大して表示することを特徴とする請求項１〜５いずれか１項に記載の立体表示装置。
【請求項７】
一対の平面画像から立体視画像を生成して表示する立体表示方法において、
複数の画像を平面画像又は立体視画像として一覧表示し、
該表示された画像の一覧から任意の画像を選択し、
該選択された画像のみの立体感を変換して表示することを特徴とする立体表示方法。
【請求項８】
コンピュータに、一対の平面画像から立体視画像を生成して表示することを実行させるための立体表示プログラムにおいて、
複数の画像を平面画像又は立体視画像として一覧表示し、
該表示された画像の一覧から任意の画像を選択し、
該選択された画像のみの立体感を変換して表示することを実行させるための立体表示プログラム。
【発明の詳細な説明】
【技術分野】
【０００１】
本発明は、立体視可能な立体視画像を表示する立体表示装置及び立体表示方法並びにプログラムに関し、特に複数の画像の一覧表示に関するものである。
【背景技術】
【０００２】
従来、複数の画像を組み合わせて表示することにより、視差を利用して立体視できることが知られている。このような立体視ができる立体視画像は、同一の被写体を異なる位置から複数のカメラを用いて撮影することにより複数の画像を取得し、複数の画像に含まれる被写体の視差を利用して複数の画像を合成することにより生成することができる。
【０００３】
具体的には、複数の画像の色を例えば赤と青のように異ならせて重ね合わせたり、複数の画像の偏光方向を異ならせて重ね合わせることにより、複数の画像を合成して立体視画像を生成することができる。この場合、立体視画像を表示して、赤青メガネや偏光メガネ等の画像分離メガネを用いて表示された立体視画像を目の自動焦点機能により融合視することにより、画像を立体視することができる（アナグリフ方式、偏光フィルタ方式）。
【０００４】
また、偏光メガネ等を使用しなくても、パララックスバリア方式およびレンチキュラー方式のように、立体視画像を立体視可能な３Ｄ液晶に表示して立体視することも可能である。この場合、複数の画像を垂直方向に短冊状に切り取って交互に配置することにより、立体視画像が生成される。また、画像分離メガネを使用し、左右の画像を交互に表示することにより、立体視画像を表示することも可能である（時分割方式）。
【０００５】
上記のように立体視画像を表示可能な表示装置においては、特許文献１に立体視画像データをサムネイル化して表示する画像再生装置が提案されている。
【特許文献１】特開２００８−００５２０３号公報
【発明の開示】
【発明が解決しようとする課題】
【０００６】
しかしながら特許文献１に記載の画像再生装置は、複数のサムネイル画像を一覧表示するときに、平面画像又は立体視画像に統一して表示するため（特許文献１の請求項１２、図１４参照）、立体視画像のみで前記一覧表示されたときには、立体視画像が多数並んでいるとユーザは個々の画像を確認し難くなってしまう虞がある。
【０００７】
本発明はかかる事情に鑑みてなされたものであり、複数の画像の一覧表示において見易さを向上させた立体表示装置を提供することを目的とするものである。
【課題を解決するための手段】
【０００８】
本発明の立体表示装置は、一対の平面画像から立体視画像を生成して表示する立体表示装置において、
複数の画像を平面画像又は立体視画像として一覧表示する表示手段と、
該表示手段に表示された画像の一覧から任意の画像を選択する画像選択手段と、
該画像選択手段により選択された画像のみの立体感を変換して表示する表示変換手段とを備えてなることを特徴とするものである。
【０００９】
本発明の立体表示装置においては、前記表示変換手段が、前記選択された画像に含まれる被写体の視差を変更することにより前記立体感を変換することができる。
【００１０】
この場合、前記表示変換手段が、前記複数の画像が平面画像として前記一覧表示されているときに、前記被写体の視差を付与するか又は前記表示変換手段が、前記複数の画像が立体視画像として前記一覧表示されているときに、前記被写体の視差をなくすことができる。
【００１１】
本発明の立体表示装置においては、前記表示変換手段が、前記選択された画像を他の画像に対して相対的に移動させることができる。
【００１２】
本発明の立体表示装置においては、前記表示変換手段が、前記選択された画像を拡大して表示してもよい。
【００１３】
また本発明の立体表示方法は、一対の平面画像から立体視画像を生成して表示する立体表示方法において、
複数の画像を平面画像又は立体視画像として一覧表示し、
該表示された画像の一覧から任意の画像を選択し、
該選択された画像のみの立体感を変換して表示することを特徴とする。
【００１４】
また本発明の立体表示プログラムは、コンピュータに、一対の平面画像から立体視画像を生成して表示することを実行させるための立体表示プログラムにおいて、
複数の画像を平面画像又は立体視画像として一覧表示し、
該表示された画像の一覧から任意の画像を選択し、
該選択された画像のみの立体感を変換して表示することを実行させるためのものである。
【発明の効果】
【００１５】
本発明の立体表示装置及び立体表示方法並びにプログラムによれば、複数の画像を平面画像又は立体視画像として一覧表示し、表示された画像の一覧から任意の画像を選択し、選択された画像のみの立体感を変換して表示するので、選択された画像の立体感が他の画像とは異なることによりユーザは選択された画像を確認し易くなり、立体視画像のみが一覧表示されることがないので、表示画面の見易さを向上させることができる。
【発明を実施するための最良の形態】
【００１６】
以下、本発明にかかる第一の実施形態の立体表示装置１について図面を参照して詳細に説明する。図１は本発明の第一の実施形態の立体表示装置１の概略構成を示すブロック図、図２は図１の立体表示装置１による一連の立体表示処理のフローチャート、図３Ａは左目用と右目用の平面一覧画像ＰＬ、ＰＲ及び一覧画像Ｐの一例を示す図、図３Ｂは画像に含まれる被写体の視差の変更方法を説明する図である。
【００１７】
本実施形態の立体表示装置１は、一対の平面画像から立体視画像を生成して表示するものであり、図１に示す如く、画像入力部１０、操作部（画像選択手段）１１、表示制御部１２、モニタ（表示手段）１３、読込部１４、一覧画像生成部１５、表示変換部（表示変換手段）１６、データ圧縮部１７、メディア制御部１８、記録メディア１９、内部メモリ２０等を備えており、これらはデータバス２１を介して、各種信号、データの送受信を行う。
【００１８】
画像入力部１０は、立体視画像の画像ファイルや画像データ、平面画像データを入力するものであり、後述の記録メディア１９や内部メモリ２０に記録された各種データを、メディア制御部１８を介して読み込んで入力したり、有線又は無線のネットワーク経由で各種データを読み込んで入力したりすることができる。
【００１９】
ここで立体視画像の画像データとは、被写体を異なる２つの視点から撮像して得た左目用の平面画像と右目用の平面画像とが左右に並ぶように画像データを合成して生成され、左目用の平面画像と右目用の平面画像に含まれる被写体の視差を利用して立体視を実現するものであり、立体視画像の画像ファイルとは、例として、左目用の平面画像と右目用の平面画像を含んで生成され、ヘッダ部分にその画像ファイルが立体視画像生成用の左目用の平面画像と右目用の平面画像を含む旨や左目用の平面画像と右目用の平面画像の配置位置を表す情報等が含められた１つの画像ファイル、あるいは、左目用の平面画像と右目用の平面画像が関連付けられた名前で記録された別のファイル等が考えられる。
【００２０】
操作部（画像選択手段）１１は、例えばマウスやキーボード、各種ボタン等で構成されるものであり、ユーザがこれらを操作することにより各種設定を行ったり、後述のように複数の画像が一覧表示されたときには、表示された画像の一覧から任意の画像を選択したりすることができる。
【００２１】
表示制御部１２は、各種画像をモニタ１３に表示させる他に、各種設定メニュー等を表示させる。また表示制御部１２は、後述の記録メディア１９に記録され、メディア制御部１８によって読み出された各種画像をモニタ１３に表示させる。
【００２２】
モニタ１３は、表示制御部１２を介して平面画像及び／又は立体視画像を表示するものであり、例えば左目用の平面画像と右目用の平面画像とをそれぞれ画像の縦方向に細長く切り取って交互に並べて表示し、同様に縦方向に刻まれたスリットを通して観察者に見せるようにすることで、観察者の左目には左目用の平面画像ＰＬを、右目には右目用の平面画像ＰＲをそれぞれ届ける、視差バリア（パララックスバリア）方式や、上記スリットの代わりにレンチキュラレンズを使用したレンチキュラ方式を使用することにより画像を立体視可能にする。また、２つの表示画面、あるいは１つの表示画面の左右に左右の画像を表示したものを左右の眼で見る方式でもよい。その他、空間分割方式であってもよい。
【００２３】
なお本実施形態のモニタ１３は画像を立体視可能なものであればいずれの方式を使用してもよく、時系列的に光路を変更させる、例えば特許第３９３００２１号公報に記載された、いわゆるスキャンバックライト方式を使用してもよいし、画像分離メガネを使用し、左右の画像を交互に表示することにより、画像を立体視する時分割方式を使用してもよい。またモニタ１３は操作部１１によって設定操作される各種設定メニュー等も表示する。
【００２４】
読込部１４は、画像入力部１０により入力された画像データから操作部１１を操作することによって選択された任意の数の画像データを読み込むものであり、立体視画像の画像ファイルが選択されたときには、そのヘッダ部に含められた各種情報も読み込む。
【００２５】
一覧画像生成部１５は、読込部１４によって読み込まれた複数の画像データを縮小して配列し、一対の平面一覧画像を生成するものである。例えば９つの画像データが読み込まれたときには、図３Ａに示す如く、９つの画像を縦横３列に配列した平面一覧画像を２つ生成する。このとき配列方法は予め操作部１１を操作することにより任意に設定することができる。このようにして生成された２つの平面一覧画像のうち、一方が左目用の平面一覧画像ＰＬ、他方が右目用の平面一覧画像ＰＲとなる。
【００２６】
そして操作部１１によりモニタ１３に９つの画像を平面画像として一覧表示するように操作されたときには、読込部１４によって読み込まれたのが立体視画像の画像データ又は画像ファイルである場合には、読み込まれた立体視画像の左目用の平面画像と右目用の平面画像のうちのどちらか一方を縮小して左目用の平面一覧画像ＰＬと右目用の平面一覧画像ＰＲにそれぞれ配置する。また読込部１４によって読み込まれたのが平面画像の画像データである場合には、読み込まれた平面画像を縮小して左目用の平面一覧画像ＰＬと右目用の平面一覧画像ＰＲにそれぞれ配置する。
【００２７】
また操作部１１によりモニタ１３に９つの画像を立体視画像として一覧表示するように操作されたときには、読込部１４によって読み込まれたのが立体視画像の画像データ又は画像ファイルである場合には、読み込まれた立体視画像の左目用の平面画像と右目用の平面画像を縮小して、それぞれ左目用の平面一覧画像ＰＬと右目用の平面一覧画像ＰＲに配置する。
【００２８】
また読込部１４によって読み込まれたのが平面画像の画像データである場合には、読み込まれた平面画像を縮小して左目用の平面一覧画像ＰＬと右目用の平面一覧画像ＰＲにそれぞれ配置する。
【００２９】
そして図３Ｂに示す如く、例えば平面一覧画像ＰＲ中の平面画像ＰＲ４については、先ず平面画像ＰＲ４中の人物（被写体）ＡＬを含む領域を抽出する。そしてモニタ１３から推奨閲覧距離Ｌ１だけ離れた閲覧者Ｆの、平面画像ＰＲに対して垂直な右目ＥＲの視線の先をＡ点とした場合に、Ａ点からＬ４だけ右に離れた人物ＡＬを、閲覧者Ｆ側にＬ２だけ飛び出して見えるようにするためには、下記式（１）から導かれる下記式（２）を満たすように人物ＡＬを移動させる距離Ｌ３つまり視差量を求めて、人物ＡＬを図中右にＬ３だけ移動させて人物ＡＲとする。なおこのとき右目用の平面画像ＰＲ４において人物ＡＬを含む領域の抽出後の領域については、左目用の平面画像ＰＬ４を使用して、補間処理を施す。
【００３０】
Ｌ３：Ｌ２＝Ｌ３＋Ｌ４：Ｌ１      ・・・（１）
Ｌ３＝Ｌ２×Ｌ４／（Ｌ１−Ｌ２）  ・・・（２）
ここでＬ２は人物Ａの立体感すなわち奥行き距離をどのくらいに設定するかによって変更される値である。
【００３１】
なお本実施形態では平面画像ＰＲ４中の人物ＡＬがＡ点より右側に位置しているため、人物ＡＬを図中右に移動させることにより閲覧者Ｆに人物Ａを飛び出して見せることができるが、例えばＡ点よりも左側に位置しているときには人物ＡＬを図中左に移動させることにより閲覧者Ｆに人物Ａを飛び出して見せることができる。
【００３２】
また閲覧者Ｆに人物Ａを引っ込めて見せたいときには、人物がＡ点よりも右側に位置している場合には図中左に、Ａ点よりも左側に位置している場合には図中右に移動させる。そして平面一覧画像ＰＬ中の平面画像ＰＬ４についても、平面画像ＰＲ４と同様の原理を用いて人物ＡＬを移動させる。このようにして左目用の平面画像ＰＬ４（４）と右目用の平面画像ＰＲ４（４’）に含まれる被写体に視差を付与する。
【００３３】
そして全ての画像について上記と同様の処理を行う。これにより９つの画像それぞれにおいて左目用の平面画像と右目用の平面画像に含まれる被写体に視差が生じるのでモニタ１３に表示される一覧画像Ｐ中の９つの画像１〜９は立体視が可能となる。
【００３４】
表示変換部１６は、モニタ１３に表示された画像の一覧から操作部１１による操作によって任意の画像を選択されると、選択された画像のみの立体感を変換してモニタ１３に表示するものである。なおこの立体感の変換方法については後で詳細に説明する。
【００３５】
データ圧縮部１７は、各種画像データを圧縮処理するものであり、圧縮された画像データはメディア制御部１８を介して記録メディア１９に記録される。
【００３６】
メディア制御部１８は、記録メディア１９に記憶された画像データや画像ファイル等の読み出し、又は書き込みを行う。
【００３７】
記録メディア（記録手段）１９は、各種画像データや画像ファイル等を記憶可能な記録媒体であり、磁気的又は光学的記録媒体、半導体メモリ等によって構成されている。
【００３８】
内部メモリ２０は、立体表示装置１において設定される各種定数やプログラム等を格納するものであって、画像入力部１０により入力された各種画像データや一覧画像生成部１５により生成された一対の一覧画像等を記憶するバッファメモリとしても機能する。
【００３９】
本実施形態の立体表示装置１は上記のように構成されている。次に立体画像装置１による画像処理について説明する。図２は立体表示装置１による一連の立体表示処理のフローチャートである。
【００４０】
立体表示装置１は、図２に示す如く、先ず画像入力部１０が複数の画像を入力し（ステップＳ１）、読込部１４が入力された画像のうち操作部１１によって選択された画像のデータを読み込む（ステップＳ２）。
【００４１】
次に一覧画像生成部１５が、読込部１４によって読み込まれた画像を縮小して配列することにより上述のようにして左目用の平面一覧画像ＰＬと右目用の平面一覧画像ＰＲとを生成する（ステップＳ３）。そして生成された左目用の平面一覧画像ＰＬと右目用の平面一覧画像ＰＲとにより上述の方法によって立体視可能にした一覧画像Ｐを表示制御部１２を介してモニタ１３に表示する（ステップＳ４）。
【００４２】
そしてモニタ１３に表示された画像の一覧から操作部１１によって任意に画像が選択され（ステップＳ５）、表示変換部１６が選択された画像の立体感を変換して表示する（ステップＳ６）。
【００４３】
表示変換部１６による立体感の変換表示は、図３Ａの下図に示す如く、例えば９つの画像が上述のようにして平面画像として表示されていて、操作部１１により画像４が選択されたときには、図３Ｂに示して上記に説明したのと同様にして、画像４の左目用の平面画像ＰＬ４（４）と右目用の平面画像ＰＲ４（４’）とに含まれる被写体に視差を付与する。すると選択された画像４はモニタ１３に一覧画像Ｐとして表示されると立体視が可能な立体視画像に変換される。
【００４４】
これによりモニタ１３に表示された９つの画像１〜９のうち、選択された画像４のみが立体視画像として表示され、選択されていない他の８つの画像１〜３、５〜９はそれぞれ平面画像として表示されるので、選択された画像の立体感が他の画像とは異なるものとなることにより、ユーザは自身が選択した画像を確認し易くなり、立体視画像のみが一覧表示されることがないので、表示画面の見易さを向上させることができる。
【００４５】
なおこのとき表示変換部１６は、選択された画像４を拡大して表示させてもよい。ここで図４に左目用と右目用の平面一覧画像ＰＬ、ＰＲ及び一覧画像Ｐの第二の例を示す図を示す。選択された画像４を拡大して表示する場合は、図４に示す如く、上記のようにして視差が付与された画像４の左目用の平面画像ＰＬ４（４）と右目用の平面画像ＰＲ４（４’）とを、それぞれ左目用の平面一覧画像ＰＬと右目用の平面一覧画像ＰＲにおいて予め任意に設定された大きさに同様に拡大する。
【００４６】
こうすることにより選択された画像４は、立体視画像として表示されると共に拡大表示されるので、ユーザは自身が選択した画像をより確認し易くなる。
【００４７】
次に表示変換部１６による第三の立体感の変換表示について説明する。図５は左目用と右目用の平面一覧画像ＰＬ、ＰＲ及び一覧画像Ｐの第三の例を示す図である。表示変換部１６は、図５に示す如く、例えば９つの画像が上述のようにして立体視画像として表示されていて、操作部１１により画像４が選択されたときには、画像４の左目用の平面画像ＰＬ４（４）と右目用の平面画像ＰＲ４（４’）とに含まれる被写体の視差をなくす。
【００４８】
すなわち読込部１４によって読み込まれた画像４が立体視画像の画像データ又は画像ファイルである場合には、読み込まれた立体視画像の左目用の平面画像と右目用の平面画像のうちのどちらか一方を左目用の平面一覧画像ＰＬと右目用の平面一覧画像ＰＲにそれぞれ配置し、読込部１４によって読み込まれた画像４が平面画像の画像データである場合には、読み込まれた平面画像を左目用の平面一覧画像ＰＬと右目用の平面一覧画像ＰＲにそれぞれ配置する。
【００４９】
すると選択された画像４は、図５に示す如く、左目用の平面一覧画像ＰＬと右目用の平面一覧画像ＰＲとにおいてどちらも同じ平面画像４が配置されることとなり、上記被写体の視差をなくすことができるので、モニタ１３に図５の下図に示す如く一覧画像Ｐとして表示されると、表示された９つの画像１〜９のうち、選択された画像４のみが平面画像として表示され、選択されていない他の８つの画像１〜３、５〜９はそれぞれ立体視画像として表示されるので、選択された画像の立体感が他の画像とは異なることにより、ユーザは自身が選択した画像を確認し易くなり、立体視画像のみが一覧表示されることがないので、表示画面の見易さを向上させることができる。なおこのときに表示変換部１６は、上記実施形態と同様の方法にて、選択された画像４を拡大表示させてもよい。
【００５０】
次に表示変換部１６による第四、第五の立体感の変換表示について説明する。図６は左目用と右目用の平面一覧画像ＰＬ、ＰＲ及び一覧画像Ｐの第四の例を示す図、図７は左目用と右目用の平面一覧画像ＰＬ、ＰＲ及び一覧画像Ｐの第五の例を示す図である。表示変換部１６は、図６、図７に示す如く、例えば４つの画像が上述のようにして平面画像として表示されていて、操作部１１により画像２が選択されたときには、画像２の左目用の平面画像ＰＲ２又は右目用の平面画像ＰＲ２を他の画像１、３〜４に対して相対的に移動させる。
【００５１】
つまり図６に示す如く、例えば右目用の平面一覧画像ＰＲにおいて、モニタ１３から推奨閲覧距離Ｌ１だけ離れた閲覧者Ｆの、平面一覧画像ＰＲに対して垂直な右目ＥＲの視線の先をＡ点とした場合に、Ａ点よりも右側に位置する平面画像ＰＲ２のみを図中矢印で示すように平面画像ＰＲ２全体つまり画像枠ごと右方向に移動させる。このとき移動させる距離Ｌ３は上記式（２）で示して説明したようにして決定する。そして平面一覧画像ＰＬ中の平面画像ＰＬ２についても、平面画像ＰＲ２と同様の原理を用いて画像枠ごと移動させる。すると画像２は左目用の平面一覧画像ＰＲ及び右目用の平面一覧画像ＰＬ間にて視差が付与されることにより、図６に示す如く、他の画像１、３、４に対して画像２が枠ごと前方側に移動して見える、つまり浮いて見えるようになる。
【００５２】
なお例えば右目用の平面一覧画像ＰＲにおいて、平面画像ＰＲ１のみを上記と同様にして右側に移動させたときには、平面画像ＰＲ１はＡ点よりも左側に位置しているので、画像１は他の画像２、３、４に対して後方側に移動して見える、つまり沈んで見えるようになる。
【００５３】
一方図７に示す如く、例えば右目用の平面一覧画像ＰＲ中の平面画像ＰＲ２のみを上記とは逆に図中矢印で示すように平面画像ＰＲ２全体つまり枠ごと左方向に移動させ、平面一覧画像ＰＬ中の平面画像ＰＬ２についても、平面画像ＰＲ２と同様の原理を用いて画像枠ごと移動させる。すると画像２は左目用の平面一覧画像ＰＲ及び右目用の平面一覧画像ＰＬ間にて視差が付与されることにより、図７に示す如く、他の画像１、３、４に対して画像２が枠ごと後ろ方側に移動して見える、つまり沈んで見えるようになる。
【００５４】
なお例えば右目用の平面一覧画像ＰＲにおいて、平面画像ＰＲ１のみを上記と同様にして左側に移動させたときには、平面画像ＰＲ１はＡ点よりも左側に位置しているので、画像１は他の画像２、３、４に対して前方側に移動して見える、つまり浮いて見えるようになる。
【００５５】
上記のように、選択された画像２が浮いて見えるか沈んで見えるかは、視差を付与する画像がＡ点の右側に位置するか左側に位置するか、また画像を移動させる方向が右方向であるか、左方向であるかによって異なるものとなる。
【００５６】
なお本実施形態では、上記のように選択された画像２を移動させるものとしたが、本発明はこれに限られるものではなく、例えば選択されていない画像１、３、４を同時に移動させるようにしてもよい。
【００５７】
このように左目用の平面一覧画像ＰＬと右目用の平面一覧画像ＰＲの画像において選択された画像２を相対的に移動させることにより、選択された画像２は他の画像１、３、４に対して奥行き方向の位置が移動して見える、つまり浮いたり沈んだりして見えるので、選択された画像２の立体感が他の画像とは異なるものとなり、ユーザは自身が選択した画像を確認し易くなる。
【００５８】
なおこのとき表示変換部１６は、選択された画像２を拡大して表示させてもよい。ここで図８に左目用と右目用の平面一覧画像ＰＬ、ＰＲ及び一覧画像Ｐの第六の例を示す図を示す。選択された画像２を拡大して表示する場合は、図８に示す如く、選択された画像２の左目用の平面画像ＰＬ２と右目用の平面画像ＰＲ２とを、それぞれ左目用の平面一覧画像ＰＬと右目用の平面一覧画像ＰＲにおいて予め任意に設定された大きさに同様に拡大した後で、例えば右目用の平面画像ＰＲ２のみを図中矢印の方向つまり右側に移動させる。
【００５９】
こうすることにより、図８に示す如く、他の画像１、３、４に対して画像２が枠ごと拡大して前方側に移動して見える、つまり拡大して浮いて見えるようになるので、ユーザは自身が選択した画像をより確認し易くなる。
【００６０】
また上述した実施形態のように、選択された画像を画像枠ごと浮いたり沈んだりすることにより立体感を変換させる場合に、選択された画像が立体視画像であってもよい。ここで図９に立体視画像を画像枠ごと飛び出させたときの視差の付け方を説明する図を示す。
【００６１】
図９に示す如く、例えば右目用の平面一覧画像ＰＲにおいて、選択された立体視画像２をＬ２だけ浮いて見せたい場合には、立体視画像２においてＬ２ａだけ浮いてみせるようにされている被写体２ａを立体視画像２の画像枠と同時にＬ２だけ浮いて見せる、つまり図中被写体２ａ’に位置してみせるために、被写体２ａを図中右方向にＬ７だけ移動させる。ここでＬ７は、下記式（３）〜（５）から導かれる下記式（６）を満たすようにして決定される。
【００６２】
Ｌ７＋Ｌ６：Ｌ５＋Ｌ２＝Ｌ７＋Ｌ６＋Ｌ４：Ｌ１  ・・・（３）
Ｌ６：Ｌ５＝Ｌ６＋Ｌ４：Ｌ１                    ・・・（４）
Ｌ３：Ｌ２＝Ｌ３＋Ｌ４：Ｌ１                    ・・・（５）
Ｌ７＝Ｌ４×Ｌ２｛（２×Ｌ５−Ｌ１）／（Ｌ５−Ｌ１）（Ｌ１−Ｌ５＋Ｌ２）｝
・・・（６）
そして平面一覧画像ＰＬ中の立体視画像２についても、平面一覧画像ＰＲと同様の原理を用いて被写体２ａを移動させる。こうすることにより、画像２が画像枠ごとＬ２だけ前方に浮いて見えると共に画像２中の被写体２ａもＬ２だけ浮いて見えることになるので、立体視画像２を立体視可能なまま画像枠ごと浮いてみせることが可能となる。
【００６３】
以上のようにして表示変換部１６による立体感の変換表示処理が行われる。そして図２に示す如くステップＳ６にて表示変換部１６による変換表示が終了すると（ステップＳ６）、立体表示装置１による立体表示処理が終了する。
【００６４】
このように本発明によれば、数の画像を平面画像又は立体視画像として一覧表示し、表示された画像の一覧から任意の画像を選択し、選択された画像のみの立体感を変換して表示するので、選択された画像の立体感が他の画像とは異なることによりユーザは選択された画像を確認し易くなり、立体視画像のみが一覧表示されることがないので、表示画面の見易さを向上させることができる。
【００６５】
なお本発明の立体表示装置及び立体表示方法並びにプログラムは、上述した実施形態に限られるものではなく、本発明の趣旨を逸脱しない範囲において適宜設計変更可能である。
【図面の簡単な説明】
【００６６】
【図１】本発明にかかる一実施形態の立体表示装置の概略構成を示すブロック図
【図２】図１の立体表示装置による一連の立体表示処理のフローチャート
【図３Ａ】左目用と右目用の平面一覧画像及び一覧画像の一例を示す図
【図３Ｂ】画像に含まれる被写体の視差の変更方法を説明する図
【図４】左目用と右目用の平面一覧画像及び一覧画像の第二の一例を示す図
【図５】左目用と右目用の平面一覧画像及び一覧画像の第三の一例を示す図
【図６】左目用と右目用の平面一覧画像及び一覧画像の第四の一例を示す図
【図７】左目用と右目用の平面一覧画像及び一覧画像の第五の一例を示す図
【図８】左目用と右目用の平面一覧画像及び一覧画像の第六の一例を示す図
【図９】立体視画像を画像枠ごと飛び出させたときの視差の付け方を説明する図
【符号の説明】
【００６７】
１      立体表示装置
１０    画像入力部（画像入力手段）
１１    操作部（画像選択手段）
１３    モニタ（表示手段）
１５    一覧画像生成部
１６    表示変換部（表示変換手段）
【図１】
2009246625.tif 000003
【図２】
2009246625.tif 000004
【図３Ｂ】
2009246625.tif 000005
【図６】
2009246625.tif 000006
【図７】
2009246625.tif 000007
【図８】
2009246625.tif 000008
【図９】
2009246625.tif 000009
【図３Ａ】
2009246625.tif 000010
【図４】
2009246625.tif 000011
【図５】
2009246625.tif 000012